(57)【要約】【課題】本発明は、助手席に着席した乗員の映り込みを防止する助手席側ドアミラーを提供する。【解決手段】この助手席側ドアミラーにおいては、ミラー板の透明基板の表面に視界制限膜が形成され、この視界制限膜の視野制限角度は、ミラー板におけるミラー面の中心軸線から、助手席側乗員の頭部を含み且つ運転者の頭部を含まない範囲の角度であるため、運転者は通常のドアミラーとして利用することができ、助手席側乗員にとっては、自身の身体や後方車輌のヘッドランプの光の映り込みが無く、これらの映り込みに伴って起こるストレスを解消できる構成である。【選択図】図１
2009090682.tif 000002
【特許請求の範囲】
【請求項１】
車輌の助手席側に配置されると共に、ドアミラーボディ内に収容されたミラー板によって、車輌の助手席側後方の視界を確保させるためのドアミラーにおいて、
前記ミラー板の透明基板の表面には、視界制限膜が形成され、この視界制限膜の視野制限角度は、前記ミラー板におけるミラー面の中心軸線から、前記助手席に着席した乗員の頭部を含み且つ運転者の頭部を含まない範囲の角度であることを特徴とする助手席側ドアミラー。
【請求項２】
前記視野制限角度は、略３０度であることを特徴とする請求項１記載の助手席側ドアミラー。
【発明の詳細な説明】
【技術分野】
【０００１】
本発明は、運転者の助手席側の後方視界を確保するために利用される助手席側ドアミラーに関するものである。
【背景技術】
【０００２】
従来から一般的に利用されているこの種の助手席側ドアミラー１００としては、図６に示すように、車輌の助手席側ドアに取付けられ、運転者の助手席側の後方視界の確保に利用されている。このドアミラー１００は、カップ状に形成された樹脂製のドアミラーボディ１０１内に電動によって上下左右に可動するミラー板１０２が収容され、このミラー板１０２は、ガラスの透明基板の裏面に反射膜を有している。
【０００３】
【特許文献１】特開２００５−７９９８号公報
【発明の開示】
【発明が解決しようとする課題】
【０００４】
しかしながら、前述した従来の助手席側ドアミラー１００には、次のような課題が存在している。すなわち、図６に示すように、助手席側ドアミラー１００は、助手席に着席している乗員に対して、自分自身の身体１０３や、夜間において、後方車両１０４のヘッドランプ１０４ａの光を写し出しているので、助手席に着席している乗員にとって、そのことがストレスに感じる場合があるといった問題点があった。
【０００５】
本発明は、助手席に着席した乗員の映り込みを防止する助手席側ドアミラーを提供することを目的とする。
【課題を解決するための手段】
【０００６】
本発明に係る助手席側ドアミラーは、車輌の助手席側に配置されると共に、ドアミラーボディ内に収容されたミラー板によって、車輌の助手席側後方の視界を確保させるためのドアミラーにおいて、ミラー板の透明基板の表面には、視界制限膜が形成され、この視界制限膜の視野制限角度は、ミラー板におけるミラー面の中心軸線から、助手席に着席した乗員の頭部を含み且つ運転者の頭部を含まない範囲の角度であることを特徴とする。
【０００７】
この助手席側ドアミラーにおいて、運転者は、通常のドアミラーとして利用することができ、助手席の乗員にとっては、自分自身の身体や後方車両のヘッドランプの光の映り込みが無く、様々なものの映り込みに伴って起こるストレスを解消させることができる。
【０００８】
また、視野制限角度は、略３０度とすると好適である。車輌の前後方向に延在する基準線に対して、ミラー面が５５度の角度をもって配置されていることを前提に、様々な車輌を配慮して、汎用性が高い角度として、視野制限角度の略３０度が決定されている。
【発明の効果】
【０００９】
本発明によれば、助手席に着席した乗員の映り込みを防止することができる。
【発明を実施するための最良の形態】
【００１０】
以下、図面を参照しつつ本発明に係る助手席側ドアミラーの好適な実施形態について詳細に説明する。
【００１１】
図１及び図２に示すように、車輌２の助手席側ドアに固定される助手席側ドアミラー１は、樹脂製のドアミラーボディ５を備えている。椀形状をしたこのドアミラーボディ５は、開口部を有し、この開口部に平面形状のミラー板６が収容されている。運転者は、このミラー板６に写る反射像を視認することによって、車輌２の助手席側後方を確認することができる。
【００１２】
さらに、ドアミラーボディ５内には、ミラー板６の角度を調整するためのモータが設けられている。このモータは、車両２に設けられた調整スイッチと電気的に接続されており、この調整スイッチは、運転者が操作しやすいようにダッシュボード運転席側に配置されている。
【００１３】
図３に示すように、ミラー板６は、ガラス製の透明基板６ａと、透明基板６ａの裏面全体にクロム又は銀の蒸着により形成された反射膜６ｂと、透明基板６ａの表面全体を覆うと共に、樹脂により形成された視界制限膜６ｃとからなる。
【００１４】
この視界制限膜６ｃは、入射角が所定の視野制限角度α以下の光を散乱させる性質を有し、視野制限角度α外の観察者からは透明に見えるが、視野制限角度α内の観察者からは不透明に見える。このような視界制限膜６ｃは、一般的に、携帯電話などの液晶画面に接着されて利用され、例えば、住友化学（株）製の「ルミスティー（商標名）」等がある。この視界制限膜６ｃを表面に有するミラー板６では、視野制限角度α外の観察者は反射像が見え、視野制限角度α内の観察者は反射像が見えない。
【００１５】
図１及び図３に示すように、助手席側ドアミラー１は、水平面上において視野制限角度αを中心角とした扇状の視野制限範囲Ｓを有している。この視野制限範囲Ｓは、平面状のミラー板６の中心を通って、ミラー面６ｄに垂直な中心軸線Ｌと、運転者の頭部３と助手席側乗員の頭部４との間に延在する境界線Ｐとの間で形成されている。ミラー板６は、この視野制限範囲Ｓに存在する助手席側乗員からは、散乱した光によって曇りガラス状に見える（図２参照）。なお、ミラー板６の形状は、平面形状の他、球面形状や非球面形状であってもよく、この場合の中心軸線Ｌは、ミラー面６ｄの中心に接する平面に対して垂直である。
【００１６】
このような構成の助手席側ドアミラー１によれば、視野制限範囲Ｓに含まれない運転者にとっては、通常のドアミラーとして利用可能であり、視野制限範囲Ｓに含まれる助手席側乗員にとっては、自分自身の身体や後方車輌のヘッドランプの光の映り込みがなく（図２参照）、また、後部座席の乗員と目が合うこともないので、これらの映り込みに伴って起こるストレスを解消させることができる。
【００１７】
さらに、視野制限範囲Ｓの中心角である視野制限角度αは、視野制限範囲Ｓが運転者の頭部３を含まず且つ助手席側乗員の頭部４を含むように、車輌の種類や仕様に応じて種々選択されるが、特に、略３０度であることが好ましい。この角度αは、車輌２の前後方向に延在する基準線Ｒに対して、ミラー面６ｄに沿って中心を通る水平な直線Ｔが５５度の角度βをもって配置されていることを前提として、実験観察により決定された汎用性の高い角度である。
【００１８】
次に、本発明に係る助手席側ドアミラーを利用する応用例について説明する。
【００１９】
この応用例は、視野制限範囲Ｓでミラー板６を見た場合に、ミラー板６の表面が曇りガラス状になっていることに着目して、ミラー板６をスクリーンとして利用し、プロジェクタによってミラー板６に任意の映像を映すこともできる。
【００２０】
例えば、助手席側ドアミラー１のミラー板６の表面に結像可能なプロジェクタが車輌２の車室天井に設置されており、このプロジェクタは、上下左右に可動するミラー板６に追従可能である。このようなプロジェクタを用いることで、助手席側ドアミラー１は、視野制限範囲Ｓに含まれない運転者にとっては、通常のドアミラーとして利用可能であり、視野制限範囲Ｓに含まれる助手席側乗員にとっては、任意の映像を映すスクリーンとして活用することができる。なお、プロジェクタは、助手席のヘッドレストに設置されてもよい。
【００２１】
本発明は、前述した実施形態に限定されないことは言うまでもない。例えば、図４に示すように、ミラー板６Ａは、透明基板６ａの裏面に形成した視界制限膜６ｃの裏面に反射膜６ｂを配置する構成であってもよい。また、図５に示すように、ミラー板６Ｂにおいて、透明基板６ａの表面に反射膜６ｂを形成し、この反射膜６ｂの表面を覆うように視界制限膜６ｃを形成する構成であってもよい。
【００２２】
また、視界制限膜６ｃは、透明基板６ａの全面を覆っても、助手席側乗員の身体が映し出される領域のみを覆ってもよい。
【図面の簡単な説明】
【００２３】
【図１】本発明に係る助手席側ドアミラーを有する車両を示す平面図である。
【図２】本発明に係る助手席側ドアミラーを助手席側乗員が見た状態を示す斜視図である。
【図３】図２に示された助手席側ドアミラーに適用するミラー板の拡大断面図である。
【図４】ミラー板の変形例を示す拡大断面図である。
【図５】ミラー板の他の変形例を示す拡大断面図である。
【図６】従来の助手席側ドアミラーの斜視図である。
【符号の説明】
【００２４】
１…助手席側ドアミラー、２…車輌、３…運転者の頭部、４…助手席側乗員の頭部、５…ドアミラーボディ、６…ミラー板、６ａ…透明基板、６ｂ…反射膜、６ｃ…視界制限膜、６ｄ…ミラー面、Ｌ…中心軸線、Ｒ…基準線、Ｐ…境界線、α…視野制限角度、Ｓ…視野制限範囲。
【図１】
2009090682.tif 000003
【図２】
2009090682.tif 000004
【図３】
2009090682.tif 000005
【図４】
2009090682.tif 000006
【図５】
2009090682.tif 000007
【図６】
2009090682.tif 000008